(57)【要約】【課題】各基礎杭の上端部に設けて、梁状基礎を受支持させる基礎ブロックの部分を、従来の様に地中ではなくて、地上に構築することによって、工期及び工費を顕著に節減出来る様にした梁状基礎の構築工法を提供する。【解決手段】梁状基礎を構築すべき地面に、基礎杭を、その上端部が地面から突出した状態で埋設する作業工程と、基礎杭の前記突出端を包み込んだ状態で、杭頭補強ブロックを地面上に打設すべく、ブロック補強筋を突出端の周りに配設する作業工程と、梁状基礎を補強する梁鉄筋を、ブロック補強筋の側方に連結させる作業工程と、梁状基礎及び杭頭補強ブロックの各打設用型枠を設けて、生コンクリートを充填する作業工程とを含むことを特徴とする。そして、前記突出端に側方から引っ掛けるＵ形屈曲部を備えた杭頭補強鉄筋を、梁鉄筋に連結させる作業工程も設けるとよい。【選択図】　　　図１
2004036183.tif 000002
【特許請求の範囲】
【請求項１】
梁状基礎を構築すべき地面に、基礎杭を、その上端部が地面から突出した状態で埋設する作業工程と、
基礎杭の前記突出端を包み込んだ状態で、杭頭補強ブロックを地面上に打設すべく、ブロック補強筋を突出端の周りに配設する作業工程と、
梁状基礎を補強する梁鉄筋を、ブロック補強筋の側方に連結させる作業工程と、
梁状基礎及び杭頭補強ブロックの各打設用型枠を設けて、生コンクリートを充填する作業工程とを含むことを特徴とする基礎杭に支持された梁状基礎の構築工法。
【請求項２】
基礎杭の前記突出端に側方から引っ掛ける為のＵ形屈曲部を備えた杭頭補強鉄筋を、梁鉄筋に連結させる作業工程を含むことを特徴とする請求項１記載の基礎杭に支持された梁状基礎の構築工法。
【発明の詳細な説明】
【０００１】
【発明の属する技術分野】
本発明は、軟弱地盤の上に建てられる、住宅等の比較的小規模の建物の土台部分を載せる為の、“布基礎”と同様の役割を果たす、鉄筋コンクリート製の梁状基礎を、地中に埋設した基礎杭群に受支持された状態で構築する工法に関する。
【０００２】
【従来の技術】
図５〜図７に、上記工法の従来例を図解した。
この従来工法の概要を説明すると、先ず、図５に示した様に、梁状基礎１００を構築すべき地面Ｇに、梁状基礎１００の配置及び地盤の強さに対応した間隔を隔てた複数箇所に、桝形をしたコンクリート打設穴５１を掘削する。
【０００３】
続いて、各コンクリート打設穴５１の周壁に、土止めを兼ねた型枠（図示略）を構築する。
次に、この穴底の真ん中に、基礎杭３００を、その上端が穴底に達する迄埋設する。
【０００４】
然かる後、埋設された基礎杭３００の上端内空部に、図７に示した円筒籠状鉄筋５２を、図５に示した様に半ば嵌め込む。５３はその落下防止用の止環である。
続いて、型枠内に突出している円筒籠状鉄筋５２を囲む様にして、その下側部分に、方形トレー状をしたベース鉄筋５４（図７参照）を組付ける。
更に、このベース鉄筋５４に載せ架ける様にして、方形籠状鉄筋５５（図７参照）を、図５に示した様に、その上半部が型枠の外に突出した状態で組付ける。
【０００５】
上記の様にして、型枠内に鉄筋群を組付け終えたら、型枠内に生コンクリートを充填して、梁状基礎１００を受支持させる為の基礎ブロック２００を構築すると共に、方形籠状鉄筋５５をシッカリ固定させる。
【０００６】
打設を終えた基礎ブロック２００の上面には、方形籠状鉄筋５５の上半部が突出している。
そこで、次に、隣り合う方形籠状鉄筋５５，５５間に、梁状基礎１００を補強する梁鉄筋５６を橋絡状に架設すると共に、梁打設用の型枠（図示略）を構築する。
そして、この型枠内に生コンクリートを充填すれば、基礎杭３００及び基礎ブロック２００群に受支持された梁状基礎１００が、建物の土台配置に対応した配置を以て構築される。
【０００７】
【発明が解決しようとする課題】
然しながら、上記の従来工法には、以下に列挙した如き幾つかの難点があった。
（イ）　その一辺の長さが基礎杭３００の径の２〜４倍の大きさの、鉄筋コンクリート製の基礎ブロック２００を、各基礎杭３００の埋設箇所に於いて地中に構築する為の、少なからぬ手間と、工期と、経費を要する。
（ロ）　基礎ブロック２００の打設穴を掘った後の、残土の処分費も嵩む。
（ハ）　基礎ブロック２００の補強用鉄筋の組付作業にも、少なからぬ手間・工期・経費を要する。
（ニ）　基礎ブロック２００と、梁状基礎１００とを、２工程に分けて順次打設するのは、作業効率が悪い。
【０００８】
そこで、本発明の目的は、各基礎杭の上端箇所に設けて、梁状基礎を受支持させる為の基礎ブロックを、従来の様に地面下に構築するのではなくて、地面上に構築することによって、多くの余分な労力、工期、及び工費を省ける様にした、梁状基礎の構築工法を提供するにある。
【０００９】
【課題を解決するための手段】
上記の目的を達成する為の、本発明による基礎杭に支持された梁状基礎の構築工法は、
梁状基礎を構築すべき地面に、基礎杭を、その上端部が地面から突出した状態で埋設する作業工程と、
基礎杭の前記突出端を包み込んだ状態で、杭頭補強ブロックを地面上に打設すべく、ブロック補強筋を突出端の周りに配設する作業工程と、
梁状基礎を補強する梁鉄筋を、ブロック補強筋の側方に連結させる作業工程と、
梁状基礎及び杭頭補強ブロックの各打設用型枠を設けて、生コンクリートを充填する作業工程とを含むことを特徴とする。
そして、基礎杭の前記突出端に側方から引っ掛ける為のＵ形屈曲部を備えた杭頭補強鉄筋を、梁鉄筋に連結させる作業工程を付加させるとよい。
【００１０】
【発明の実施の形態】
以下に、本発明工法の一実施例に就いて、図１〜図４を参照しながら説明する。
図１は、鉄筋コンクリート製の梁状基礎Ａを、基礎杭Ｂに受支持された状態で、地面Ｇ上に構築した有様を示す部分縦断面図である。図２は、図１の上面視図である。
基礎杭Ｂは、図１に示した様に、その上端部を地面Ｇ上に突出させた状態で埋設されている。以後、この突出部分を、突出端ｂと名付けることにする。
【００１１】
突出端ｂには、図１に示した様に、鉄筋コンクリート製で方形をした杭頭補強ブロックＣが、突出端ｂを包み込む様にして打設されている。
そして、梁状基礎Ａは、その末端箇所や中間箇所を、杭頭補強ブロックＣに交叉状に合体させた状態で打設されている（図２参照）。
【００１２】
図３は、杭頭補強ブロックＣを更に補強する為の、ブロック補強筋の分解斜視図である。
１は傘鉄筋で、ほぼ下向きコ字形に折曲されている。２は方形の籠状鉄筋で、突出端ｂを囲む様に配置される。３は杭頭補強鉄筋で、突出端ｂに側方から引っ掛ける為のＵ形屈曲部と、長い両脚部とを備えている。
そして、図１，図２中に示した４は、梁状基礎Ａを補強する梁鉄筋である。
【００１３】
図４は、基礎杭Ｂの突出端ｂの部分を示した斜視図で、図中の５は、基礎杭Ｂの開放された上端を塞ぐカバープレートである。６は、籠状鉄筋２を支持する為の支持金具で、突出端ｂの外周面の４箇所に放射状に突設している。６ａは、籠状鉄筋２、従って、杭頭補強ブロックＣを支承する受片である。
【００１４】
次に、梁状基礎Ａを、その要所要所を基礎杭Ｂ群によって受支持された状態で構築する作業工程の一例に就いて、具体的に説明する。
梁状基礎Ａは、建物全体の土台配置（図示略）に対応する配置を以て構築される。
【００１５】
そこで先ず、梁状基礎Ａを構築すべき地面Ｇの要所要所に、基礎杭Ｂを埋設する。
その際に、基礎杭Ｂの上端部分は地中に埋没させずに、図１に示した様に、地面Ｇ上に突き出たままの、突出端ｂとして置く。
【００１６】
次に、この突出端ｂを包み込む様にして、所定の大きさの直方体形をした鉄筋コンクリート製の杭頭補強ブロックＣを構築する。
それには、突出端ｂを包囲する様にして、地面Ｇの上に、コンクリート打設用の型枠（図示略）を構築する。
この型枠の下方部分は、地面Ｇ下に幾分埋没させて置く。
【００１７】
次に、基礎杭Ｂの上端開口にカバープレート５を被せて溶接し、この開口を塞ぐ。
又、突出端ｂの外周面の複数箇所、この場合は４箇所に、支持金具６を放射状に突出させた状態で溶接する（図４参照）。
これ等の作業は、基礎杭Ｂを埋設する前に行ってもよい。
【００１８】
然かる後、杭頭補強ブロックＣを打設する型枠の中に鉄筋を組込む作業に移る。
先ず、予め組立てある籠状鉄筋２を、基礎杭Ｂの突出端ｂを囲む様にして型枠内に納めたうえ、支持金具６群に溶接してその配置状態を固定させる（図２参照）。
続いて、カバープレート５の上に、図１，図２に示した様に、複数本の傘鉄筋１を井桁状の配置を以て垂下状に載せ掛け、この状態をスポット溶接により固定させる。
【００１９】
更に、図１，図２に示した様に、　基礎杭Ｂの突出端ｂの上下２箇所の夫々に、横向きにした杭頭補強鉄筋３のＵ形屈曲部を引っ掛けたうえ、この状態を溶接により固定させる。
【００２０】
一方、梁状基礎Ａを構築する為の、コンクリート打設用の型枠（図示略）の構築作業も、杭頭補強ブロックＣの打設用型枠の構築作業と並行して、或いは、この作業の後で進める。
そして、梁状基礎Ａの梁打設用型枠内には、梁鉄筋４を、籠状鉄筋２等に連結させた状態で組付ける。
その際に、杭頭補強鉄筋３の両脚部分を、梁鉄筋４に溶接して連結させる。
【００２１】
この様にして、鉄筋コンクリート製の杭頭補強ブロックＣと、梁状基礎Ａとを打設する為の型枠の構築と、型枠内への補強鉄筋群の配設を終えたら、両型枠内に生コンクリートを注入する。
そして、コンクリートの硬化後に型枠を取り除けば、従来の建物の布基礎に相当する役割を果たす、梁状基礎Ａの構築作業は完了する。
【００２２】
上記実施例に於いて、梁状基礎Ａを補強する梁鉄筋４と共に、或いは、梁鉄筋４に代えて、Ｈ形鋼等の形鋼を用いてもよい。
【００２３】
【発明の効果】
以上の説明によって明らかな様に、本発明による基礎杭に支持された梁状基礎の構築工法によれば、図５〜図７に図解した如き、従来の梁状基礎の構築工法に比べて、以下に列挙した如き極めて優れた経済的効果が得られる。
（ａ）　従来工法では、基礎杭の上端部に一体に構築して梁状基礎を支持する役目を果たさせる基礎ブロックを、地中に設けていたが、これを地上に構築する（杭頭補強ブロック）ことによって、工費と工期の顕著な節減を達成出来る。
（ｂ）　即ち、基礎ブロックの上に梁状基礎を載せた状態で、この両者を連結させる従来工法を改めて、梁状基礎を、杭頭補強ブロックの側面に平面交叉状に連結させることにより、杭頭補強ブロックを補強する鉄筋群の全体構成を、顕著に簡素・コンパクト化させられる。
（ｃ）　従来技術を示す図５と、本発明を示す図１とを対比すれば明らかな様に、本発明によれば、実質的には、従来工法の基礎ブロックを省略したに等しい経済的効果が得られる。
（ｄ）　梁鉄筋に連結させた杭頭補強筋等によって、基礎杭と梁状基礎とを強固に連結させることによって、杭頭補強ブロックが、上方からの荷重や、地震発生時の振動等を受けて応力破壊する恐れをほぼ解消させられる。
（ｅ）　梁状基礎と、杭頭補強ブロックとを同時に打設出来るので、別々に打設する場合に比べて作業効率を顕著に高められる。
【図面の簡単な説明】
【図１】本発明の一実施例を示すもので、梁状基礎が、基礎杭に交叉状態で支持された有様を示す、部分縦断面図である。
【図２】同上、図１の上面視図である。
【図３】同上、杭頭補強ブロックを補強するブロック補強筋の分解斜視図である。
【図４】同上、基礎杭の上端部に、ブロック補強筋の支持金具を溶接した状態を示す部分斜視図である。
【図５】従来例を示す、図１図相当図である。
【図６】同上、図２図相当図である。
【図７】同上、図３図相当図である。
【符号の説明】
Ａ　梁状基礎
Ｂ　基礎杭
ｂ　突出端
Ｃ　杭頭補強ブロック
Ｇ　地面
１　傘鉄筋（ブロック補強筋）
２　籠状鉄筋（ブロック補強筋）
３　杭頭補強鉄筋
４　梁鉄筋
５　カバープレート
６　支持金具
６ａ　受片
１００　従来の梁状基礎
２００　基礎ブロック
３００　基礎杭
５１　コンクリート打設穴
５２　円筒籠状鉄筋
５３　止環
５４　ベース鉄筋
５５　方形籠状鉄筋
５６　梁鉄筋
【図１】
2004036183.tif 000003
【図２】
2004036183.tif 000004
【図３】
2004036183.tif 000005
【図４】
2004036183.tif 000006
【図５】
2004036183.tif 000007
【図６】
2004036183.tif 000008
【図７】
2004036183.tif 000009